(57)【要約】【課題】だれにも容易にフィットし、ずり落ちも防ぐ眼鏡枠を安価に提供する。【解決手段】両テンプル２の後端に支持片３をそれぞれ取り付け、両支持片３はそれぞれ内側へ弓なりに湾曲する形状のものとして外側片４と内側片５とからなる二股状に形成している。両内側片５は可撓性を有するものとし、外側片４及び内側片５の対向位置に互いに反発し合う磁石６及び磁石７をそれぞれ埋め込んでいる。眼鏡枠を装着していないときは、磁石６・磁石７の反発力によって両内側片５は外側片４から離れ内側へと変形している。装着すると、図１に示すように、両内側片５が後頭部に押され両外側片４に近付く。このとき、両磁石６・７の反発力で両内側片５が後頭部に押し付けられ、このため眼鏡枠はしっかり保持されている。【選択図】図１
2007233316.tif 000002
【特許請求の範囲】
【請求項１】
フロント枠（１）の左右に後方へ伸びる棒状のテンプル（２）の前端をそれぞれ取り付けてテンプル（２）の後端には後方へ伸びる棒状の支持片（３）の前端をそれぞれ取り付け、両支持片（３）はそれぞれ内側へ弓なりに湾曲する形状のものとして外側片（４）と内側片（５）とからなる二股状の部分を備えたものとし、両内側片（５）は可撓性を有するものとして外側片（４）及び内側片（５）の対向位置に互いに反発し合う磁石（６）及び磁石（７）をそれぞれ設けた眼鏡枠。
【請求項２】
テンプル（２）に対し支持片（３）の前後調節ができるようにしたことを特徴とする、請求項１記載の眼鏡枠。
【発明の詳細な説明】
【技術分野】
【０００１】  この発明は、顔面と後頭部とを挟み付けて保持するようにした眼鏡枠に関するものである。
【背景技術】
【０００２】  顔面と後頭部とを挟み付けて保持するようにした眼鏡枠としては、例えば次のようなものが提案されている（特許文献１参照）。すなわち、第１部材と、第２部材と、第１部材と第２部材とを連結する連結部材とを有する眼鏡枠用テンプルを備えた眼鏡枠において、連結部材は、可撓性を有し外方へ向けて凸状に湾曲した第１姿勢と内方へ向けて凸状に湾曲した第２姿勢とに切り替わるようにした眼鏡枠である。連結部材を内方へ向けて凸状に湾曲させた第２姿勢の状態にしてフロント枠を顔面に当て、両テンプルを両耳の上から後頭部へ伸ばした後に、連結部材を外方へ向けて凸状に湾曲させた第１姿勢の状態にすると、テンプルの両第２部材が後頭部を押える。顔面と後頭部とを挟み付けた状態となり、眼鏡枠の装着が終る。眼鏡枠を外す場合は、両連結部材を内方へ向けて凸状に湾曲させた第２姿勢にし、眼鏡枠を外せばよい。【０００３】
【特許文献１】  実用新案登録第３１０９３９１号公報
【発明の開示】
【発明が解決しようとする課題】
【０００４】  前記従来のものには次のような欠点がある。両連結部材を内方へ向けて凸状に湾曲させた第２姿勢から外方へ向けて凸状に湾曲させた第１姿勢へ切り替えて装着した場合、必ずしもだれにもしっかりフィットした状態になっているとは限らない。すなわち、装着状態の眼鏡枠は一定の固定状態であるのに対し、頭部の大きさ・形状は各人で大きく異なるからである。したがって、各人にちょうどフィットしたものを用意するするしかなく、すなわち各人ごとに特製品を製作するしかない。これでは製作が面倒で時間が掛って高価に付く。【０００５】  本発明が解決しようとする課題は、だれにも容易にフィットし、ずり落ちも防ぐ眼鏡枠を安価に提供する点にある。
【課題を解決するための手段】
【０００６】  請求項１に係る眼鏡枠は、フロント枠１の左右に後方へ伸びる棒状のテンプル２の前端をそれぞれ取り付けてテンプル２の後端には後方へ伸びる棒状の支持片３の前端をそれぞれ取り付け、両支持片３はそれぞれ内側へ弓なりに湾曲する形状のものとして外側片４と内側片５とからなる二股状の部分を備えたものとし、両内側片５は可撓性を有するものとして外側片４及び内側片５の対向位置に互いに反発し合う磁石６及び磁石７をそれぞれ設けたものである。【０００７】  この眼鏡枠を装着していないときは、磁石６・磁石７の反発力によって両内側片５は外側片４から離れ内側へと変形している。この状態で装着すると、両内側片５が装着者の後頭部に押され両外側片４に近付く。このとき、両磁石６・７の反発力が付勢力となって両内側片５が後頭部に押し付けられ、このため眼鏡枠はしっかり保持される。眼鏡枠を外すと、両磁石６・７の反発力によって両内側片５は両外側片４から離れ、内側の元の位置に返る。【０００８】  請求項２に係る眼鏡枠は、請求項１記載のものにおいて、テンプル２に対し支持片３の前後調節ができるようにしたことを特徴とするものである。支持片３の前後調節ができるやり方としては、例えば次のようなものが考えられる。すなわち、テンプル２の後方部分がやや固くはまる穴を支持片３の前端からあけて、その穴にテンプル２の後方部分を通すやり方である。そして、テンプル２に対し支持片３を前後に動かし、装用者にぴったりフィットする位置に調節する。
【発明の効果】
【０００９】  本発明に係る眼鏡枠においては、互いに反発し合う磁石６及び磁石７を外側片４及び内側片５の対向位置に設け、外側片４に対し内側片５を前方へと付勢している。そして、内側片５が付勢力を受けながら変形できる範囲内で装着者頭部の大きさ・形状のばらつきを吸収することができる。したがって、１製品が適用できる装用者の範囲はかなり広くなる。このため、それ程多くの種類を製作しておく必要はなく、安価に提供できる点につながる。また、前記のとおり、眼鏡枠の装着時には後頭部に磁力による前方への付勢力が働いている。このため、多くの人にフィットし、眼鏡枠のずり落ちを防いでくれる。請求項２に係る眼鏡枠の場合、テンプル２に対し支持片３を前後に動かし、装用者にぴったりフィットするように調節することができる。
【発明を実施するための最良の形態】
【００１０】  本発明を実施するための最良の形態を図１に基づいて説明する。図１は眼鏡枠を装着した状態を示す平面図である。１はフロント枠を示している。フロント枠１の左右には後方へ伸びる棒状のテンプル２の前端をそれぞれ取り付けている。テンプル２の後端には後方へ伸びる棒状の支持片３の前端をそれぞれ取り付けている。すなわち、支持片３の前端からテンプル２がやや固く入る穴をあけ、その穴にテンプル２を通すことでテンプル２の後端に支持片３を連結しているのである。そして、両支持片３はそれぞれ内側へ弓なりに湾曲する形状のものとしている。支持片３の後半部は二股状に形成し、外側片４と内側片５とからなるものとし、後端は一体にしている。両内側片５は可撓性を有するものとし、両内側片５の後端付近はやや前方へ山なりに膨出する形状に形成している。その膨出する位置において外側片４と内側片５とに磁石６と磁石７とを対向させてそれぞれ埋め込んでいる。磁石６と磁石７とは同極を対向させ、互いに反発し合うようにしている。【００１１】  この眼鏡枠を装着していないときは、磁石６・磁石７の反発力によって両内側片５は外側片４から離れ内側へと変形している。この状態で装着すると、図１に示すように、両内側片５が装着者の後頭部に押され両外側片４に近付く。このとき、両磁石６・７の反発力で両内側片５が後頭部に押し付けられ、両磁石６・７による付勢力で眼鏡枠はしっかり保持される。眼鏡枠を外すと、両磁石６・７の反発力によって両内側片５は両外側片４から離れ、内側の元の位置に返る。なお、テンプル２を支持片３に押し込む長さを調節することで、装用者にぴったりフィットさせるようにすることができる。
【図面の簡単な説明】
【００１２】
【図１】発明を実施するための最良の形態を示す平面図である。
【符号の説明】
【００１３】    １  フロント枠
２  テンプル
３  支持片
４  外側片
５  内側片
６  磁石
７  磁石
【図１】
2007233316.tif 000003